(57)【要約】【課題】簡単な構造で容易に高さ調整が可能であり、且つ、断熱性能も悪化させることの無い低温庫のアジャスター装置を提供する。【解決手段】断熱箱体内に貯蔵室３を構成して成り、この貯蔵室３の床面を構成する断熱箱体の底壁２Ａに貫通孔１２を形成し、この貫通孔１２内にアジャスターボルト８を配設して断熱箱体より下方に突出させる。少なくともアジャスターボルト８の上部と貫通孔１２の内周面との間に所定の間隔を設けると共に、アジャスターボルト８の上端面には、上方及び両側方に開放した直線状の溝８Ｂを形成した。【選択図】図２
2006038338.tif 000002
【特許請求の範囲】
【請求項１】
断熱箱体内に貯蔵室を構成して成り、該貯蔵室の床面を構成する前記断熱箱体の底壁に貫通孔を形成し、該貫通孔内にアジャスターボルトを配設して前記断熱箱体より下方に突出させて成る低温庫において、
少なくとも前記アジャスターボルトの上部と前記貫通孔の内周面との間に所定の間隔を設けると共に、
前記アジャスターボルトの上端面には、上方及び両側方に開放した直線状の溝を形成したことを特徴とする低温庫のアジャスター装置。
【請求項２】
前記アジャスターボルトと貫通孔との間隔内に挿入可能な寸法のパイプから構成された治具を備え、
該治具は、その一端開口から所定寸法内側に位置して前記アジャスターボルトの溝内に係合する係合部を有することを特徴とする請求項１のアジャスター装置。
【請求項３】
前記治具の他端側には透孔が形成されていることを特徴とする請求項２の低温庫のアジャスター装置。
【請求項４】
前記治具の他端側は径を太く形成されていることを特徴とする請求項２又は請求項３の低温庫のアジャスター装置。
【請求項５】
前記治具の他端側は屈曲されていることを特徴とする請求項１の低温庫のアジャスター装置。
【発明の詳細な説明】
【技術分野】
【０００１】
本発明は、食品等の物品を冷却貯蔵する低温庫を設置現場に据え付ける際に用いられるアジャスター装置に関するものである。
【背景技術】
【０００２】
従来より食品等の物品を冷却しながら貯蔵する低温庫は断熱箱体より構成され、この断熱箱体内に貯蔵室が構成されている。そして、貯蔵室を冷却装置にて所定の冷蔵或いは冷凍温度に冷却するものであるが、通常設置現場の床面は完全な平坦では無いため、或いは、移動用の車輪から浮かせて安定的に据え付けるために、高さ調整用のアジャスターボルトが用いられる。
【０００３】
このアジャスターボルトは、貯蔵室の床面四隅に対応する断熱箱体の底壁に形成した貫通孔内に設けられ、断熱箱体から下方に突出している。そして、貯蔵室内側からこのアジャスターボルトを回転させることで断熱箱体から突出量を調整し、設置現場の床面の凹凸を吸収するようにしていた。
【０００４】
また、このように貯蔵室内側からアジャスターボルトを回転操作できるために、例えば低温庫の背面及び左右面が設置現場の壁面に近接して設置される場合にも、特に奥側のアジャスターボルトを容易に回転させることができるものであった（例えば、特許文献１参照）。
【特許文献１】特開２００１−５０６４２号公報
【発明の開示】
【発明が解決しようとする課題】
【０００５】
ところで、上記従来のアジャスターボルトは、上端面に六角レンチを挿入するための孔が形成され、この孔に六角レンチを係合させて回転させる構造であった。しかしながら、六角レンチでは径が細いために重量の大きな低温庫の場合には使用できない。
【０００６】
一方、アジャスターボルトの上端を六角頭とし、この六角頭にソケットレンチ等を係合させて回転させる方法もあるが、アジャスターボルト自体が特殊な形状となり、部品コストが高騰する。また、アジャスターボルトを設けるための貫通孔も大きくしなければならないため、その分断熱箱体の断熱性能が悪化すると云う問題も生じる。
【０００７】
本発明は、係る従来の技術的課題を解決するために成されたものであり、簡単な構造で容易に高さ調整が可能であり、且つ、断熱性能も悪化させることの無い低温庫のアジャスター装置を提供するものである。
【課題を解決するための手段】
【０００８】
本発明のアジャスター装置は、断熱箱体内に貯蔵室を構成して成り、この貯蔵室の床面を構成する断熱箱体の底壁に貫通孔を形成し、この貫通孔内にアジャスターボルトを配設して断熱箱体より下方に突出させて成る低温庫に適用され、少なくともアジャスターボルトの上部と貫通孔の内周面との間に所定の間隔を設けると共に、アジャスターボルトの上端面には、上方及び両側方に開放した直線状の溝を形成したことを特徴とする。
【０００９】
請求項２の発明の低温庫のアジャスター装置は、上記においてアジャスターボルトと貫通孔との間隔内に挿入可能な寸法のパイプから構成された治具を備え、この治具は、その一端開口から所定寸法内側に位置してアジャスターボルトの溝内に係合する係合部を有することを特徴とする。
【００１０】
請求項３の発明の低温庫のアジャスター装置は、上記において治具の他端側には透孔が形成されていることを特徴とする。
【００１１】
請求項４の発明の低温庫のアジャスター装置は、請求項２又は請求項３において治具の他端側は径を太く形成されていることを特徴とする。
【００１２】
請求項５の発明の低温庫のアジャスター装置は、請求項１において治具の他端側は屈曲されていることを特徴とする。
【発明の効果】
【００１３】
本発明のアジャスター装置は、断熱箱体内に貯蔵室を構成して成り、この貯蔵室の床面を構成する断熱箱体の底壁に貫通孔を形成し、この貫通孔内にアジャスターボルトを配設して断熱箱体より下方に突出させて成る低温庫に適用され、少なくともアジャスターボルトの上部と貫通孔の内周面との間に所定の間隔を設けると共に、アジャスターボルトの上端面には、上方及び両側方に開放した直線状の溝を形成したので、例えば請求項２の如き治具、即ち、アジャスターボルトと貫通孔との間隔内に挿入可能な寸法のパイプから構成され、その一端開口から所定寸法内側に位置してアジャスターボルトの溝内に係合する係合部を有する治具を用いることにより、貯蔵室側からアジャスターボルトと貫通孔との間隔内に治具の一端を挿入して開口内にアジャスターボルトの上部を進入させ、係合部を溝に係合させることで、治具によりアジャスターボルトを回転させることができるようになる。
【００１４】
これにより、貯蔵室側から容易に低温庫の高さ調整を行うことができるようになる。この場合、従来の如きソケットレンチを用いる場合に比してアジャスターボルト及び治具を簡単な形状で構成できるので部品コストの高騰も最小限に抑えられる。また、貫通孔も拡大する必要がないので、断熱箱体の断熱性能の劣化も生じない。更に、溝にはマイナスドライバーを係合させることが可能であるので、治具が無い場合には係るドライバーでも回転させることができ、汎用性に富んだものとなる。
【００１５】
また、請求項３の発明の如く治具の他端側には透孔を形成すれば、この透孔にドライバー等を差し込むことにより、モーメントの関係で簡単にアジャスターボルトを回転させることができるようになる。更に、請求項４の発明の如く治具の他端側の径を太く形成すれば、係るドライバー等を用いなくとも容易に回転させることができるようになる。また、請求項５の発明の如く治具の他端側を屈曲させれば、尚一層アジャスターボルトの回転が容易となる。
【発明を実施するための最良の形態】
【００１６】
次に、図面に基づき本発明の実施形態を詳述する。
【実施例１】
【００１７】
図１は本発明を適用した実施例の低温庫１の斜視図を示し、図２は低温庫１のアジャスターボルト８部分の拡大縦断側面図を示している。低温庫１は、食材や調理済み食品等の物品を所定の温度に冷却して保存する冷却貯蔵庫であり、前面に開口する断熱箱体２により本体が構成されている。この断熱箱体２内に物品を収納する貯蔵室３が構成されると共に、この貯蔵室３の前面開口はヒンジ４にて回動自在に枢支された観音開き式の扉６にて開閉自在に閉塞される。また、断熱箱体２の天面には機械室７が構成されており、この機械室７内には図示しない圧縮機や凝縮器、冷却器などから成る冷却装置が設置される。そして、この冷却装置により貯蔵室３内は所定の冷蔵若しくは冷凍温度に冷却される。
【００１８】
貯蔵室３の床面を構成する断熱箱体２の底壁２Ａ四隅部には、本発明のアジャスター装置を構成するアジャスターボルト８・・・が取り付けられている。この場合、図２に示すように底壁２Ａ内には、四隅部に位置して当該底壁２Ａを貫通するスペーサ１１が設けられ、このスペーサ１１内に断熱箱体２の内外を連通する貫通孔１２が上下に形成されている。尚、１３はスペーサ１１の周囲に設けられた成形断熱材、１４はその下側に設けられた補強材であり、前記スペーサ１１はこれら成形断熱材１３及び補強材１４をも貫通している。
【００１９】
断熱箱体２の底壁２Ａ下面にはアングル１６が取り付けられており、このアングル１６には移動用の車輪１７（図１では示していない）が取り付けられている。そして、この車輪１７の近傍であって、前記貫通孔１２の直下に対応するアングル１６にはナット１８が溶接固定されている。
【００２０】
そして、アジャスターボルト８の下端には逆ハット状の接地部８Ａが設けられると共に、該接地部８Ａの上側周面がナット１８に螺合し、上部は貫通孔１２内に進入している。即ち、アジャスターボルト８は断熱箱体２から下方に突出し、貯蔵室３側に最もねじ込まれた状態では、接地部８Ａが車輪１７の下端より上となってアングル１６の下側に臨む。この状態では図２に実線で示すようにアジャスターボルト８の上端面は貫通孔１２の貯蔵室３側開口付近まで上昇している。そして、その状態から図２の上から見て時計回りに回転されると、アジャスターボルト８は断熱箱体２の底壁２Ａより下方に徐々に突出していき、同図に二点鎖線で示すように車輪１７より下方まで突出する構成とされている。
【００２１】
このようにアジャスターボルト８を車輪１７より下方に突出させ、且つ、断熱箱体２からの突出量を調整することで、低温庫１の設置現場の床面の凹凸を吸収し、高さ調整を行って安定的に低温庫１を設置できるように構成されている。また、アジャスターボルト８の上端面には、端から端に渡って直線状の溝８Ｂがすり割り形成されており、この溝８Ｂは上方及び両側方に開放している。更に、アジャスターボルト８周面と貫通孔１２（スペーサ１１）の内周面間には所定の間隔が構成される。尚、この間隔は後述する治具２１が挿入できるようにその肉厚よりも少許大きい最小限の寸法でよい。また、この間隔はアジャスターボルト８の上端面から下方に渡り、治具２１の下端からピアノ線２２までの距離だけ（上部のみ）アジャスターボルト８を細くして構成してもよいが、実施例ではアジャスターボルト８の径は一様で、間隔は貫通孔１２の上下方向の全範囲に渡って形成されているものとする。
【００２２】
次に、図３及び図４はこのアジャスターボルト８を回転させるための治具２１を示している。治具２１は前記アジャスターボルト８と貫通孔１２との間の間隔に挿入可能な厚さ及び径寸法の金属パイプから構成されており、その下端（一端）開口から所定寸法内側の位置に、ピアノ線２２が直径上に渡って溶接固定され、係合部とされている。また、治具２１の他端（上端）側の部分には所定孔径の透孔２３が穿設されており、この透孔２３内にはマイナスドライバーなどを挿入可能とされている。
【００２３】
以上の構成でアジャスターボルト８により低温庫１を据え付ける場合には、貯蔵室３側から治具２１の下端を貫通孔１２内に挿入し、アジャスターボルト８と貫通孔１２との間の間隔内に進入させる。これによって、アジャスターボルト８の上部は治具２１内に進入し、やがてピアノ線２２がアジャスターボルト８の上端面の溝８Ｂ内に係合する。そして、図２に矢印で示すように上から見て時計回りに治具２１を回転させれば、前述したようにアジャスターボルト８は回転されて断熱箱体２から下方に突出していくので、やがて接地部８Ａが車輪１７より下方まで突出し、設置現場の床面に当接する。このようにしてアジャスターボルト８によって低温庫１の高さ調整を行い、安定的に支える（図２に二点鎖線で示す）。
【００２４】
その際、透孔２３に例えばマイナスドライバー等を挿入して回転させれば、モーメントの原理でアジャスターボルト８を容易に回転させることができるようになる。このように、アジャスターボルト８と貫通孔１２との間隔内に挿入可能な寸法のパイプから構成され、その下端開口から所定寸法内側に位置してアジャスターボルト８の溝８Ｂ内に係合するピアノ線２２を有する治具２１を用いることにより、貯蔵室３側からアジャスターボルト８と貫通孔１２との間隔内に治具２１の下端を挿入して開口内にアジャスターボルト８の上部を進入させ、ピアノ線２２を溝８Ｂに係合させることで、治具２１によりアジャスターボルト８を回転させることができるようになる。
【００２５】
これにより、貯蔵室３側から容易に低温庫１の高さ調整を行うことができるようになる。この場合、アジャスターボルト８は上端面に直線状の溝８Ｂを形成しただけのものであり、治具２１もパイプとピアノ線２２で構成されているので、従来の如きソケットレンチを用いる場合に比してアジャスターボルト８及び治具２１を簡単な形状で構成できる。これにより、部品コストの高騰も最小限に抑えられる。また、アジャスターボルト８を太くする必要がないことから、貫通孔１２も拡大する必要がないので、断熱箱体２の断熱性能の劣化も生じない。
【００２６】
尚、溝８Ｂには直接マイナスドライバーの先端を係合させることが可能であるので、治具２１が無い場合には、アジャスターボルト８を係るドライバーでも回転させることができる。従って、極めて汎用性に富んだものとなる。
【実施例２】
【００２７】
次に、図５乃至図７は本発明の他の実施例の治具２１を示している。この場合の治具２１は、その上端（他端）側の径が太く形成されている。そして、この太径部分（Ｗで示す）に前記透孔２３が形成されている。他は前述と同様の構成である。治具２１に係る太径部分を形成すれば、前述したドライバー等を用いなくとも、アジャスターボルト８を容易に回転させることができるようになる。
【実施例３】
【００２８】
次に、図８及び図９は本発明のもう一つの他の実施例の治具２１を示している。この場合の治具２１は、その上端（他端）側が略直角に屈曲されている。他は前述と同様の構成である。治具２１の上端側をこのように屈曲させることで、治具２１のみにてアジャスターボルト８を一層容易に回転させることができるようになる。
【図面の簡単な説明】
【００２９】
【図１】本発明を適用した低温庫の斜視図である。
【図２】図１の低温庫のアジャスターボルト部分の拡大縦断側面図である。（実施例１）
【図３】図２の治具の正面図である。
【図４】図２の治具の下面図である。
【図５】本発明の他の実施例の治具を示す図１の低温庫のアジャスターボルト部分の拡大縦断側面図である（実施例２）。
【図６】図５の治具の正面図である。
【図７】図５の治具の下面図である。
【図８】本発明のもう一つの他の実施例の治具を示す図１の低温庫のアジャスターボルト部分の拡大縦断側面図である（実施例３）。
【図９】図８の治具の正面図である。
【符号の説明】
【００３０】
１  低温庫
２  断熱箱体
３  貯蔵室
８  アジャスターボルト
８Ｂ  溝
１２  貫通孔
２１  治具
２２  ピアノ線（係合部）
２３  透孔
【図１】
2006038338.tif 000003
【図２】
2006038338.tif 000004
【図３】
2006038338.tif 000005
【図４】
2006038338.tif 000006
【図５】
2006038338.tif 000007
【図６】
2006038338.tif 000008
【図７】
2006038338.tif 000009
【図８】
2006038338.tif 000010
【図９】
2006038338.tif 000011